(57)【要約】【課題】回転カッターの動作領域での接続部配管の段差を解消することができ、また、回転カッターの動作中に真空ポートを保護できるようにした解体作業補助ユニットを提供する。【解決手段】一対の半筒体２１，２２からなり、該半筒体２１，２２には、半筒体同士を一体化するための締結部材２３を締結可能に収納する収納部２４が設けられ、接続部配管６に両半筒体２１，２２を被嵌させて締結部材２３によって半筒体同士を一体化させたときには、突出部や段差のない外周面２５が形成され、かつ、半筒体２１，２２の内側には、接続部配管６に外突状に存在する突出部８を嵌め込むための凹部２９が形成されると共に、超電導ケーブルの断熱管３，４に接続される真空ポート１１を収納するためのポート収納部３０が形成されている。【選択図】図１
2009039830.tif 000002
【特許請求の範囲】
【請求項１】
筒状部材に着脱自在に被嵌される解体作業補助ユニットであって、
一体化されると円筒状になる一対の半筒体からなり、該半筒体には、半筒体同士を一体化するための締結部材を締結可能に収納する収納部が設けられ、筒状部材に両半筒体を被嵌させて締結部材によって半筒体同士を一体化させたときには、突出部や段差のない外周面が形成されることを特徴とする解体作業補助ユニット。
【請求項２】
前記半筒体の内側には、筒状部材に外突状に存在する突出部を嵌め込むための凹部が形成されていることを特徴とする請求項１に記載の解体作業補助ユニット。
【請求項３】
前記半筒体の内側には、超電導ケーブルの断熱管に接続される真空ポートを収納するためのポート収納部が形成されていることを特徴とする請求項１又は２に記載の解体作業補助ユニット。
【請求項４】
前記ポート収納部は、開閉自在な蓋体で覆われることを特徴とする請求項３に記載の解体作業補助ユニット。
【発明の詳細な説明】
【技術分野】
【０００１】
本発明は、例えば超電導導体を有するケーブルコア同士を接続するための接続部配管に着脱自在に被嵌される解体作業補助ユニットに関し、特に、超電導ケーブルの断熱管に接続された真空ポートを収納できるようにした解体作業補助ユニットに関する。
【背景技術】
【０００２】
超電導ケーブル１は、例えば図４に示すように、超電導導体２ａを有する３心のケーブルコア２を二重の断熱管３，４の内側に収納して内側断熱管３内に冷却媒体を流通させると共に、内側断熱管３と外側断熱管４の間に真空層を形成して超電導導体２ａを超電導状態に冷却するように構成される(例えば特許文献1参照)。このような超電導ケーブル１を長距離の電力供給用として用いる場合、製造、輸送、布設等の条件によりケーブル長が制約されるため、線路途中でケーブル同士を接続しなければならない。その中間接続部では、例えば図５に示すように、ケーブルコア同士の接続部は、熱伸縮可能なベローズ構造５によって軸方向に位置調整自在に接続される接続部配管６，６によって覆われ、さらにその外側が真空槽７によって覆われる。
【０００３】
このような中間接続部では、接続部配管６，６の内部を真空状態に保持するために、接続部配管６の端部に形成された溶接用フランジ台座８に真空カバー９の端部が溶接される。この真空カバー９は、メンテナンス時には、接続部配管６の周りを回転動作する回転カッター(図示省略)等によって切断除去される。一方、二重の断熱管３，４の端部には、フレキシブル配管１０を介して複数（例えば８本）の真空ポート１１が接続されており、メンテナンス終了時には、外部から断熱管３，４内を真空引きできるように、各真空ポート１１は、真空槽７に設けられたポート接続口１２に組付けられる。尚、ポート接続口１２は、真空槽７の直径方向に対向して一対設けられ、それぞれ４つの真空ポート１１をまとめて収納する。
【０００４】
【特許文献１】特開２００６−３３１８９４号公報
【発明の開示】
【発明が解決しようとする課題】
【０００５】
メンテナンス時等に、回転カッターを用いて真空カバー９を切断する際には、良品撤去を前提として、溶接用フランジ台座８や接続部配管６に損傷を与えることなく、真空カバー９のみを精度よく切断しなければならない。そのためには、回転カッターに精度の高い円滑な回転動作が求められる。しかしながら、溶接用フランジ台座８が接続部配管６の端部から突出しているため、接続部の構造上、回転カッターが回転動作する領域に軸方向の段差が生じる。
【０００６】
このような段差があると、回転カッターのガイドローラが安定な状態に摺接動作できず、回転カッターの精度の高い切断動作を期待できないという問題があった。また、このような切断作業中に、断熱管３，４にフレキシブル配管１０を介して接続された複数の真空ポート１１が、回転動作する回転カッターと干渉しないように保護するための配慮も必要とされる。従来では、接続部配管６の段差の解消や真空ポート１１及びフレキシブル配管１０の保護については、現場で臨機応変に対処せざるを得ず煩に耐えなかった。
【０００７】
本発明は、このような事情に鑑みてなされ、回転カッターの動作領域での接続部配管等の筒状部材の段差を解消することができ、また、回転カッターの動作中に真空ポートを保護できるようにした解体作業補助ユニットを提供することを目的とする。
【課題を解決するための手段】
【０００８】
本発明の解体作業補助ユニットは、筒状部材に着脱自在に被嵌される解体作業補助ユニットであって、
一体化されると円筒状になる一対の半筒体からなり、該半筒体には、半筒体同士を一体化するための締結部材を締結可能に収納する収納部が設けられ、筒状部材に両半筒体を被嵌させて締結部材によって半筒体同士を一体化させたときには、突出部や段差のない外周面が形成されることを特徴とする。
【０００９】
このような構成によれば、両半筒体を筒状部材に被嵌させて締結部材によって一体化すると、突出部や段差のない外周面が形成されるため、その外周面に回転カッターのガイドローラを周方向に支障なくガイドさせることができ回転カッターの円滑な回転動作が可能となり精度の高い切断を行うことができる。従って、例えば超電導ケーブルの中間接続部に設けられる接続部配管（筒状部材）に形成された溶接用フランジ台座や接続部配管を損傷させることなく、溶接用フランジ台座に溶接された真空カバーのみを切断することができる。また、両半筒体の外周面が突出部や段差のない状態に形成されるため、回転カッターによる切断箇所の選択の自由度が向上する。
【００１０】
前記半筒体の内側には、筒状部材に外突状に存在する突出部を嵌め込むための凹部が形成されていてもよい。このようにすれば、例えば接続部配管に突設された溶接用フランジ台座等を凹部に嵌め込むことで、段差を解消することができるため、回転カッターの切断位置の選択の自由度が向上する。
【００１１】
前記半筒体の内側には、超電導ケーブルの断熱管に接続される真空ポートを収納するためのポート収納部が形成されていてもよい。このようにすれば、回転カッターの動作中に、真空ポートを回転カッターに干渉させることなく保護することができる。また、回転カッターを使用しないときにも、例えばその他の部材の搬入や取り付けを行う際にも、ポート収納部に真空ポートを収納しておくことで、真空ポートを保護することができる。
【００１２】
前記ポート収納部は、開閉自在な蓋体で覆われるようにしてもよい。このようにすれば、蓋体を閉じた状態で回転カッターを円滑に回転動作させて切断作業を行うことができ、切断作業の終了後には、回転カッターを撤去して、蓋体を開放すれば、真空ポートを容易に取り出すことができる。また、ポート収納部への真空ポートの収納作業も容易となる。
【発明の効果】
【００１３】
本発明の解体作業補助ユニットは、両半筒体を筒状部材に被嵌させて締結部材によって一体化させると、突出部や段差のない外周面が形成されるため、その外周面に回転カッターのガイドローラを摺接させることで回転カッターの円滑な回転動作が可能となり精度の高い切断を行うことができる。また、突出部や段差がなくなるため、回転カッターによる切断箇所の選択の自由度が向上する。
【発明を実施するための最良の形態】
【００１４】
以下に、本発明の実施の形態に係る解体作業補助ユニットについて説明する。
図1は、解体作業補助ユニットが超電導ケーブルの接続部配管（本発明の筒状部材）に取り付けられた状態の説明図、図２（ａ）は作業補助ユニットＵの部分破断正面図、（ｂ）は側面図である。これらの図に示すように、この作業補助ユニットＵは、一体化されると円筒状になる半割れ状に形成された一対の半筒体２１，２２からなり、その半筒体２１，２２には、半筒体２１，２２同士を一体化するための締結部材２３，２３を締結可能に収納する収納部２４，２４が設けられ、超電導ケーブル1の接続部を覆う接続部配管６に両半筒体２１，２２を被嵌させて締結部材２３，２３によって半筒体２１，２２同士を一体化させると、外側に突出部や段差のない外周面２５が形成される（図２（ａ）参照）。
【００１５】
締結状態の締結部材２３を外部に突出させることなく収納する収納部２４，２４は、具体的には、例えば図２に示すように、両半筒体２１，２２の接合部を挟む外周両側に対向して穿設形成され、例えばボルト２６の軸部を挿通させるボルト孔と、締結した状態のボルトヘッドとナット２７を外部に突出させずに収納できる凹部を有している。そして、半筒体２１，２２の一端内側には、接続部配管６の端部に外突リング状に形成された溶接用フランジ台座８を嵌め込むための凹部２９が形成されており、また、他端側から一端側に向けて、超電導ケーブル１の断熱管３，４にフレキシブル配管１０を介して接続された真空ポート１１を収納するためのポート収納部３０が、筒軸方向に沿って例えば８本形成されている。
【００１６】
このような構成によれば、図１に示すように、両半筒体２１，２２の凹部２９に溶接用フランジ台座８に嵌め込み、両半筒体２１，２２を接続部配管６に被嵌させて締結部材２３によって一体化することで、現場で作業性よく接続部配管６に組み付けて突出部や段差のない外周面２５を形成することができる。その外周面２５には、回転カッター３１のガイドローラ３２を周方向に支障なくガイドさせることができるため、回転カッター３１の円滑な回転動作が可能となり精度の高い切断を行うことができる（切断箇所を矢印３３で示す）。従って、接続部配管６に形成された溶接用フランジ台座８や接続部配管６を損傷させることなく、溶接用フランジ台座８に溶接された真空カバー９のみを切断撤去することができ、いわゆる良品撤去が可能となる。また、両半筒体２１，２２の外周面２５が突出部や段差のない状態に形成されるため、回転カッター３１による切断箇所３３の選択の自由度が向上する。尚、このような突出部や段差のない外周面２５は、解体作業補助ユニットＵの外周全体に形成される必要はなく、少なくとも回転カッター３１のガイドローラ３２，３２が摺接回転動作する領域に形成されていればよい。
【００１７】
そして、ポート収納部３０に真空ポート１１及びフレキシブル配管１０の先端部分を収納しておくことによって、回転カッター３１の動作中に、真空ポート１１及びフレキシブル配管１０を干渉させることなく保護することができる。尚、真空ポート１１とフレキシブル配管１０の先端部分は、ポートカバー１３によって覆った状態でポート収納部３０に収納するのが好ましい。また、ポート収納部３０は、例えば図３に示すように、開閉自在な蓋体３４で覆うように構成することもできる。尚、図示は省略するが、蓋体３４は、一端側をピン軸等で回動自在に枢支させる一方、他端側にワンタッチ式のラッチ機構（凹凸嵌合等）を設ければよい。このようにすれば、蓋体３４を閉じた状態で回転カッター３１を回転動作させて切断作業を行うことができ、切断作業の終了後には、回転カッター３１を撤去して、蓋体３４を開放すれば、真空ポート１１を容易に取り出すことができる。また、ポート収納部３０への真空ポート１１の収納作業も容易となる。尚、本発明の解体作業用補助ユニットは、実施の形態に限定されることなく、発明の要旨を逸脱しない限りにおいて、適宜、必要に応じて改良、変更等は自由であり、超電導ケーブルの中間接続部に限定されることなく、その他の配管接続部等にも広く適用することができる。
【産業上の利用可能性】
【００１８】
本発明の解体作業補助ユニットは、現場で作業性よく筒状部材に組み付けて回転カッターによる精度の高い切断を可能ならしめ良品撤去が可能となるため、例えば超電導ケーブルの中間接続部の解体作業に好適に適用することができる。
【図面の簡単な説明】
【００１９】
【図１】本発明の実施の形態に係る解体作業補助ユニットが筒状部材に取り付けられた状態の説明図である。
【図２】（ａ）は同作業補助ユニットの部分破断正面図、（ｂ）は側面図である。
【図３】（ａ）は同ポート収納部に開閉自在な蓋体を設けた場合の半筒体の要部正面図、（ｂ）は縦断側面図である。
【図４】超電導ケーブルの構成を示す断面図である。
【図５】従来の超電導ケーブルの中間接続部の構成を示す断面図である。
【符号の説明】
【００２０】
１  超電導ケーブル  ２  ケーブルコア  ２ａ  超電導導体
３  内側断熱管（断熱管）  ４  外側断熱管（断熱管）  ５  ベローズ構造
６  筒状部材（接続部配管）  ７  真空槽  ８  溶接用フランジ台座
９  真空カバー  １０  フレキシブル配管  １１  真空ポート
１２  ポート接続口１３  ポートカバー
２１，２２  半筒体  ２３  締結部材  ２４  収納部  ２５  外周面
２６  ボルト  ２７  ナット  ２９  凹部  ３０  ポート収納部
３１  回転カッター  ３２  ガイドローラ  ３３  切断箇所  ３４  蓋体
Ｕ  解体作業補助ユニット
【図１】
2009039830.tif 000003
【図２】
2009039830.tif 000004
【図３】
2009039830.tif 000005
【図４】
2009039830.tif 000006
【図５】
2009039830.tif 000007